(57)【要約】      （修正有）【解決手段】連鎖販売取引システム１０では、第１スポンサ会員のマトリクスが完成したとき、当該第１スポンサ会員の紹介系列を遡った直近の活動中のスポンサである第２スポンサ会員の左右いずれかのポジション（左優先）に、第１スポンサ会員を再配置する。【効果】第１スポンサ会員を当該第１スポンサ会員につながる第２スポンサ会員のマトリクスの完成に寄与するポジションへ再配置することによって、第２スポンサ会員に特定利益を分配し易くする。【選択図】図１
2014167690.tif 000002
【特許請求の範囲】
【請求項１】
第１スポンサ会員のマトリクスが完成したかどうかを判断する判断手段、および
前記判断手段によって前記第１スポンサ会員のマトリクスが完成したと判断したとき、前記第１スポンサ会員を、当該第１スポンサ会員の紹介系列を遡った直近の活動中のスポンサである第２スポンサ会員の直下に再配置する再配置手段を備える、連鎖販売取引システム。
【請求項２】
前記第１スポンサ会員がトップ会員であるとき、前記再配置手段は、前記トップ会員を、当該トップ会員が紹介した会員の組織の一番浅い空きポジションに再配置する、請求項１記載の連鎖販売取引システム。
【請求項３】
前記判断手段によって前記第１スポンサ会員のマトリクスが完成したと判断したとき、当該第１スポンサ会員の紹介系列の下位会員に、紹介レベルに応じて、逆マッチングボーナスを計上するボーナス計上手段をさらに備える、請求項１または２記載の連鎖販売取引システム。
【請求項４】
サーバを利用する連鎖販売取引システムにおける配置方法であって、前記サーバは
第１スポンサ会員のマトリクスが完成したかどうかを判断する判断ステップ、および
前記判断ステップによって前記第１スポンサ会員のマトリクスが完成したと判断したとき、前記第１スポンサ会員を、当該第１スポンサ会員の紹介系列を遡った直近の活動中のスポンサである第２スポンサ会員の直下に再配置する再配置ステップを実行する、連鎖販売取引システムにおける配置方法。
【請求項５】
サーバを利用する連鎖販売取引システムにおけるプログラムであって、前記プログラムは、前記サーバを
第１スポンサ会員のマトリクスが完成したかどうかを判断する判断手段、および
前記判断手段によって前記第１スポンサ会員のマトリクスが完成したと判断したとき、前記第１スポンサ会員を、当該第１スポンサ会員の紹介系列を遡った直近の活動中のスポンサである第２スポンサ会員の直下に再配置する再配置手段として機能させる、連鎖販売取引システムにおけるプログラム。
【発明の詳細な説明】
【技術分野】
【０００１】
この発明は連鎖販売取引システムに関し、特にたとえば、レベルバイナリ方式の連鎖販売取引システムに関する。
【背景技術】
【０００２】
連鎖販売取引は、マルチレベルマーケッティングまたはネットワークマーケッティングなどともいい、たとえば非特許文献１などでよく知られている。
【０００３】
斯かる背景技術の一例が特許文献１に開示される。この特許文献１には、左右それぞれ３０万ポイントのフルサイクルを達成した会員を達成順に組織の最上位のポジションに新たに登録する、フルサイクルクラブシステムが開示されている。
【先行技術文献】
【非特許文献】
【０００４】
【非特許文献１】http://ja.wikipedia.org/wiki/%E9%80%A3%E9%8E%96%E8%B2%A9%E5%A3%B2%E5%8F%96%E5%BC%95
【特許文献】
【０００５】
【特許文献１】特開２００５‐３３９４９０号［G06F 17/60］
【発明の概要】
【発明が解決しようとする課題】
【０００６】
特許文献１に開示されたシステムでは、フルサイクル会員を最上位の新ポジションに登録するので、マトリクスが容易には完成しない。
【０００７】
それゆえに、この発明の主たる目的は、新規な、連鎖販売取引システムを提供することである。
【０００８】
この発明の他の目的は、比較的容易にマトリクスが完成する、連鎖販売取引システムを提供することである。
【課題を解決するための手段】
【０００９】
括弧内の参照符号等は、この発明の理解を助けるために後述する実施形態との対応関係を示したものであって、実施例を引用した説明を含めて、この発明を何ら限定するものではない。
【００１０】
第１の発明は、第１スポンサ会員のマトリクスが完成したかどうかを判断する判断手段、および判断手段によって第１スポンサ会員のマトリクスが完成したと判断したとき、第１スポンサ会員を、当該第１スポンサ会員の紹介系列を遡った直近の活動中のスポンサである第２スポンサ会員の直下に再配置する再配置手段を備える、連鎖販売取引システムである。
【００１１】
第１の発明は、連鎖販売取引システム（１０：実施例において相当する部分を例示する参照符号。以下、同様。）は、判断手段（１２、Ｓ１５）を含み、この判断手段では、たとえば実施例のステップＳ１１で、たとえば図８実施例の「Ａ」氏の直下左右に「１」氏および「２」氏を配置したとき、マトリクスが完成したと判断する。ここで、「Ａ」氏が第１スポンサ会員であり、再配置手段（１２、Ｓ２１、Ｓ５‐Ｓ１３）は、この第１スポンサ会員「Ａ」氏を、たとえば図９に示すようにこの「Ａ」氏の紹介者（スポンサ）である第２スポンサ会員としての「Ｙ」氏の直下に再配置する。つまり、当該「Ａ」氏の紹介系列を遡った上位において直近の活動中のスポンサである「Ｙ」氏の直下の左右のいずれかのポジションに、左優先で配置する。
【００１２】
第１の発明によれば、第１スポンサ会員のマトリクスの完成に応じて、その第１スポンサ会員を上記のような第２スポンサ会員のマトリクスを完成させるポジションに再配置（リエントリ）するので、各スポンサ会員について比較的容易にマトリクスが完成される。
【００１３】
第２の発明は、第１の発明に従属し、第１スポンサ会員がトップ会員であるとき、再配置手段は、トップ会員を、当該トップ会員が紹介した会員の組織の一番浅い空きポジションに再配置する、連鎖販売取引システムである。
【００１４】
第２の発明では、再配置手段は、たとえば実施例のステップＳ２３で構成され、このステップＳ２３では、組織の一番浅いポジションを、左優先の原則に従って、トップ会員の配置ポジションとして決定して配置する。
【００１５】
第２の発明によれば、組織内の動きのない部分にトップ会員を再配置することによって、組織を活性化することができる。
【００１６】
第３の発明は、第１または第２の発明に従属し、判断手段によって第１スポンサ会員のマトリクスが完成したと判断したとき、当該第１スポンサ会員の紹介系列の下位会員に、紹介レベルに応じて、逆マッチングボーナスを計上するボーナス計上手段をさらに備える、連鎖販売取引システムである。
【００１７】
第３の発明では、ボーナス計上手段（１２、Ｓ１７）は、通常のマトリクスボーナスの他、逆マッチングボーナスを計上する。逆マッチングボーナスとは、スポンサ会員のマトリクスが完成したとき、そのスポンサ会員の紹介系列の下位会員に、紹介レベルに応じて分配するボーナスのことである。
【００１８】
第３の発明によれば、下位会員に手厚くボーナスが付与される。
【００１９】
第４の発明は、サーバを利用する連鎖販売取引システムにおける配置方法であって、サーバは、第１スポンサ会員のマトリクスが完成したかどうかを判断する判断ステップ、および判断ステップによって第１スポンサ会員のマトリクスが完成したと判断したとき、第１スポンサ会員を、当該第１スポンサ会員の紹介系列を遡った直近の活動中のスポンサである第２スポンサ会員の直下に再配置する再配置ステップを実行する、連鎖販売取引システムにおける配置方法である。
【００２０】
第５の発明は、サーバを利用する連鎖販売取引システムにおけるプログラムであって、プログラムは、サーバを、第１スポンサ会員のマトリクスが完成したかどうかを判断する判断手段、および判断手段によって第１スポンサ会員のマトリクスが完成したと判断したとき、第１スポンサ会員を、当該第１スポンサ会員の紹介系列を遡った直近の活動中のスポンサである第２スポンサ会員の直下に再配置する再配置手段として機能させる、連鎖販売取引システムにおけるプログラムである。
【００２１】
第４および第５の発明でも第１の発明と同様に、各スポンサ会員に対して比較的容易にマトリクスを完成させることができる。
【発明の効果】
【００２２】
この発明によれば、第１スポンサ会員のマトリクスの完成に応じて、その第１スポンサ会員を第２スポンサ会員のマトリクスを完成させるポジションに再配置（リエントリ）するので、各スポンサ会員について比較的容易にマトリクスが完成される。
【００２３】
この発明の上述の目的，その他の目的，特徴および利点は、図面を参照して行う以下の実施形態の詳細な説明から一層明らかとなろう。
【図面の簡単な説明】
【００２４】
【図１】図１はこの発明の一実施例の連鎖販売取引システムの一例を示すブロック図である。
【図２】図２は図１に示すサーバのメモリのメモリマップの一例を示す図解図である。
【図３】図３は図２に示す配置待ちテーブルの一例を示す図解図である。
【図４】図４は図３に従ったスポンサマップの一例を示す図解図である。
【図５】図５は実施例の連鎖販売取引システムの組織図の一例を示す図解図である。
【図６】図６は図４のスポンサマップおよび図５の組織図に従う会員の配置の一例を示す図解図である。
【図７】図７は図６に後続する会員の配置の一例を示す図解図である。
【図８】図８は図７に後続する会員の配置の一例を示す図解図である。
【図９】図９は図８に後続する会員の配置の一例を示す図解図である。
【図１０】図１０は図８に後続する会員の配置の一例を示す図解図である。
【図１１】図１１は実施例の連鎖販売取引システムにおける配置処理を示すフロー図である。
【図１２】図１２は逆マッチングボーナスの計算方法を例示する図解図である。
【発明を実施するための形態】
【００２５】
実施例の連鎖販売取引システム１０は、図１に示すサーバ１２によって実現される。サーバ１２は、任意の形態のコンピュータであり、メモリ１４を備える。サーバ１２は会員データベース１６にアクセス可能であり、この会員データベース１６に、オペレータによって登録されたエントリレコード（エントリしてきた未登録会員（以下、便宜上「エントリ会員」と呼ぶ。）のデータ）を保存するとともに、後述のスポンサマップや組織図、さらにエントリ会員をマルチレベルのバイナリシステムに配置した後の配置データなども保存する。
【００２６】
メモリ１４は、たとえば、図２にメモリマップを示すように、プログラム領域１８およびデータ記憶領域２０を有し、プログラム領域１８には、たとえば後述の図１１に示すフロー図に従った配置プログラム２２や、その他必要なプログラムを記憶する。
【００２７】
データ記憶領域２０には、配置プログラム２２に従って配置されるのを待っている配置待ちのエントリ会員のレコードを一時的に記憶しておくための配置待ちテーブル２４が設定される。配置待ちテーブル２４に記憶されている配置待ちのエントリ会員のレコードは、バイナリシステム中に配置された後にはこの配置待ちテーブル２４から消去される。ただし、配置後には上述の会員データベース１６に登録される。
【００２８】
なお、このデータ記憶領域２０には、その他一時記憶領域２６が形成され、そこにはフラグ、レジスタ、カウンタなどが適宜設定される。
【００２９】
図３は配置待ちテーブル２４の一例を示し、この配置待ちテーブル２４には、オペレータによるエントリ登録順に順位が付けられ、基本的には、この順位に従ってバイナリシステム中に配置される。
【００３０】
エントリ会員のレコードは、氏名データ（ふりがなを含む。)、たとえば携帯電話の電話番号、メールアドレスなどの連絡先データなどを含む固有情報の他、会員番号を含む。ここで、会員番号は、エントリ会員が登録されるときに自身に付与される会員番号の他、自分の紹介者すなわちスポンサ会員の会員番号を含む。実施例の連鎖販売取引システムでは、エントリ会員は自分のスポンサ会員のマトリクスを完成させるように配置されるようにしているためである。つまり、このスポンサ会員の会員番号を参照することによって、当該エントリ会員をどのスポンサ会員のマトリクスに配置すればよいかを決定することができる。
【００３１】
図３の例でいえば、エントリ順位が１番のエントリ会員は「Ａ」氏であり、その会員番号は「０００００１」であり、「Ａ」氏の紹介者（スポンサ会員）の会員番号は「０００１」であることがわかる。ここで、会員番号「０００１」は、「Ａ」氏のスポンサである「Ｙ」氏の会員番号である。
【００３２】
エントリ順位が２番のエントリ会員は「Ｂ」氏であり、その会員番号は「０００００２」であり、「Ｂ」氏の紹介者（スポンサ会員）は、会員番号「０００１」の「Ｙ」氏である。
【００３３】
エントリ順位が３番のエントリ会員は「Ｃ」氏であり、その会員番号は「０００００３」であり、「Ｃ」氏の紹介者（スポンサ会員）は、会員番号「０００１」の「Ｙ」氏である。
【００３４】
エントリ順位が４番のエントリ会員は「Ｄ」氏であり、その会員番号は「０００００４」であり、「Ｄ」氏の紹介者（スポンサ会員）は、会員番号「０００１」の「Ｙ」氏である。
【００３５】
エントリ順位が５番のエントリ会員は「１」氏であり、その会員番号は「０００００５」であり、「１」氏の紹介者（スポンサ会員）は、会員番号「０００００１」の「Ａ」氏である。
【００３６】
エントリ順位が６番のエントリ会員は「２」氏であり、その会員番号は「０００００６」であり、「２」氏の紹介者（スポンサ会員）は、会員番号「０００００１」の「Ａ」氏である。
【００３７】
エントリ順位が７番のエントリ会員は「３」氏であり、その会員番号は「０００００７」であり、「３」氏の紹介者（スポンサ会員）は、会員番号「０００００１」の「Ａ」氏である。
【００３８】
エントリ順位が８番のエントリ会員は「イ」氏であり、その会員番号は「０００００８」であり、「イ」氏の紹介者（スポンサ会員）は、会員番号「０００００３」の「Ｃ」氏である。
【００３９】
エントリ順位が９番のエントリ会員は「ロ」氏であり、その会員番号は「０００００９」であり、「ロ」氏の紹介者（スポンサ会員）は、会員番号「０００００３」の「Ｃ」氏である。
【００４０】
このようなスポンサ系列を示すのが、図４に示すスポンサマップ２８であり、エントリ会員を組織（マルチレベルバイナリシステム）内に配置したとき、このようなスポンサマップが会員データベース１６（図１）に保存される。実際の配置はこのスポンサマップ２８とエントリ会員の配置待ちテーブル２４とに基づいて行われる。この図４に示すスポンサマップ２８において、「Ｙ」氏→「Ａ」氏→「１」氏（または「２」氏もしくは「３」氏）の系列、「Ｙ」氏→「Ｂ」氏の系列、「Ｙ」氏→「Ｃ」氏→「イ」氏（または「ロ」氏）の系列、および「Ｙ」氏→「Ｄ」氏の系列が、それぞれ紹介系列を形成する。このような紹介系列においては、図３に示す配置待ちテーブル２４の会員番号の内スポンサ会員番号を辿ることによって、紹介系列を遡ることができる。
【００４１】
図１１のフロー図を説明する前に、ここで、図５‐図１０を参照して、エントリ会員の組織内への配置の例を説明する。
【００４２】
エントリ順位が１番なのは、「Ａ」氏で、エントリ会員「Ａ」氏のスポンサ会員は「Ｙ」氏である。したがって、ここでは、「Ｙ」氏を頂点とする図５に示す組織図に、まず、「Ａ」を配置する。ただし、「Ｙ」氏の直下は左右両方とも、空いているものとする。実施例の連鎖販売取引システムでは、他の同様のマルチレベルマーケッティングシステムと同じく、「左優先」の原則に則って、図６に示すように、スポンサ会員である「Ｙ」氏の直下の左ポジシヨンを、エントリ会員「Ａ」氏の配置ポジシヨンとして決定し、そこに「Ａ」氏を配置する。
【００４３】
「Ｂ」氏がエントリ順位２番なので、続いて、エントリ会員「Ｂ」氏を配置する。エントリ会員「Ｂ」氏のスポンサ会員は「Ｙ」氏である。他方、「Ｙ」氏の直下の左は、先に「Ａ」氏を配置したことによって、「空き」ではない。したがって、ここでは、図６に示すように、スポンサ会員「Ｙ」氏の直下の右ポジションを「Ｂ」氏の配置ポジシヨンとして決定し、そこに「Ｂ」氏を配置する。
【００４４】
図６に示すように、スポンサ会員Ｙの直下の左右ポジションが両方とも「空き」ではなくなった、つまり、「Ｙ」氏を頂点に1段のマトリクスが完成したので、この時点で「Ｙ」氏にマトリクスボーナス（マトリクスが完成したとき該当のスポンサ会員に付与されるボーナスのことであり、便宜上「マトリクスボーナス」と呼ぶ。）が発生する。実施例のシステムでは、たとえば、商品の購入代金つまり特定負担金が５５，０００円であるとすると、このマトリクスボーナスは２０，０００円として設計している。したがって、この時点で、「Ｙ」氏には、２０,０００円の特定利益が付与される。
【００４５】
実施例の連鎖販売取引システムの１つの特徴は、図６のように第１スポンサ会員「Ｙ」氏のマトリクスが完成したとき、「Ｙ」氏を、その「Ｙ」氏のスポンサ（紹介者）である第２スポンサ会員「甲」氏の直下の左右どちらか（左優先）に配置することである。つまり、実施例では、第１スポンサ会員を頂点とするマトリクスが完成したとき第１スポンサ会員を、当該第１スポンサ会員の紹介系列を遡った直近の活動中のスポンサである第２スポンサ会員の下位に配置する。このように、マトリクが完成した第１スポンサ会員を、その紹介系列を遡ったより上位の第２スポンサ会員（活動中）の直下への再配置によって、第１スポンサ会員「Ｙ」氏だけでなく、その「Ｙ」氏のスポンサである第２スポンサ会員の「甲」氏の次のボーナスの発生の助けとなる。したがって、この実施例の連鎖販売取引システムによれば、公平な利益分配がなされるとともに、再配置によって次のマトリクスの完成が容易になる。
【００４６】
エントリ順位３番および４番の「Ｃ」氏および「Ｄ」氏も、図６と同様の図７に示すように、スポンサ会員「Ｙ」氏の直下の左右にそれぞれ配置される。なお、先の図６の時点で「Ｙ」氏を頂点とするマトリクスが既に完成しているので、「Ｃ」氏および「Ｄ」氏が配置されるべき「Ｙ」氏は、図６の時点で上位スポンサ会員「甲」氏の直下の左右どちらかに再配置されているポジションにある「Ｙ」氏である。
【００４７】
そして、この図７の時点でも、第１スポンサ会員「Ｙ」氏へのマトリクスボーナスが発生するとともに、「Ｙ」氏の紹介系列を遡った上位にある活動中のスポンサ会員、つまり第２スポンサ会員「甲」氏の直下への左右どちらか（左優先）への「Ｙ」氏の再配置が実行される。
【００４８】
次に、エントリ順位が５番の「１」氏を配置するのであるが、図３および図４に示すように、「１」氏のスポンサ会員は「Ａ」氏であるため、ここでは「Ａ」氏の直下のポジションに空きがあるかどうか見る。「Ａ」氏は新規登録会員であり、かつ「１」氏が「Ａ」氏の紹介の最初の会員であるため、「Ａ」氏の直下は左右どちらも空いているはずである。左優先の原則で、「１」氏は、図８に示すように、「１」氏のスポンサである「Ａ」氏の直下の左のポジションに配置する。
【００４９】
次に、エントリ順位が６番の「２」氏を配置するのであるが、「２」氏も「１」氏と同様に、「Ａ」氏を紹介者とするものである（図３、図４参照）ので、「Ａ」氏の直下の「空き」状態がチェックされる。「Ａ」氏の直下の左ポジションには上述のように「１」氏がすでに配置されているので、「２」氏は、図８に示すように、「Ａ」氏の直下の右ポジションを配置ポジションとして配置される。
【００５０】
図８に示すように、スポンサ会員「Ａ」氏の直下の左右ポジションが両方とも「空き」ではなくなった、つまり、「Ａ」氏を頂点に1段のマトリクスが完成したので、この時点で第１スポンサ会員である「Ａ」氏にマトリクスボーナスが発生する。したがって、この図８の時点で、「Ａ」氏には、所定の特定利益が付与される。そして、図８のように「Ａ」氏のマトリクスが完成したので、実施例の特徴に従って、「Ａ」氏を、その「Ａ」氏のスポンサ（紹介者）である会員「Ｙ」氏の直下の左右どちらか（左優先）に配置する。つまり、第１スポンサ会員である「Ａ」氏の1段マトリクスが完成したので、「Ａ」氏の紹介者系列における上位の第２スポンサ会員である「Ｙ」氏の下位に配置する。
【００５１】
次に「Ａ」氏を紹介者とする「３」氏（エントリ順位７番）を配置するのであるが、先に図８を参照して説明したように、「Ａ」氏は既にマトリクスボーナスを獲得して「Ｙ」氏直下に再配置されている。したがって、「３」氏は、再配置されている「Ａ」氏の直下の左右どちらかに配置されることになる。例では、「Ａ」氏をスポンサ会員とするエントリ会員は３人であり、「３」氏は３番目であるので、必ず、図９に示すように、再配置した「Ａ」氏の直下の左ポジションを配置ポジシヨンとして配置される。
【００５２】
その後、エントリ順位８番と９番のエントリ会員「イ」氏と「ロ」氏とが図１０に示すように配置される。つまり、「イ」氏および「ロ」氏は、共に「Ｃ」氏をスポンサとするものであるので、図１０に示すように、スポンサ会員「Ｃ」氏の直下の左右を配置ポジションとしてそれぞれ配置される。図１０に示すように、スポンサ会員「Ｃ」氏の直下の左右ポジションが両方とも「空き」ではなくなった、つまり、「Ｃ」氏を頂点に1段のマトリクスが完成したので、この時点で「Ｃ」氏にマトリクスボーナスが発生する。したがって、この図１０の時点で、「Ｃ」氏には、所定の特定利益が付与される。そして、図１０のように「Ｃ」氏のマトリクスが完成したので、「Ｃ」氏を、その「Ｃ」氏のスポンサ（紹介者）である会員「Ｙ」氏の直下の左右どちらか（左優先）に配置する。つまり、第１スポンサ会員である「Ｃ」氏の1段マトリクスが完成したので、「Ｃ」氏の上位の第２スポンサ会員である「Ｙ」氏の下位に再配置する。一方、「Ｙ」氏は既に２回再配置されていて、２回目の再配置ポジシヨンでは図９に示すように、既に左ポジションに「Ａ」氏が再配置されている。したがって、「Ｃ」氏は、図９に示すように、空いている「Ｙ」氏直下の右を配置ポジションとして再配置されるのである。
【００５３】
以上で実施例の連鎖販売取引システム１０の概要を説明したが、次に、図１１を参照して、サーバ１２の具体的な動作を説明する。なお、図１１による処理は原則的には、オペレータが入力（登録）したエントリ会員について、翌日実行する。
【００５４】
サーバ１２は、配置処理を開始すると、まず、ステップＳ１において、たとえば会員データベース１６に保存されている前日入力したエントリレコードをすべて読み出して、たとえば図３に示すような配置待ちテーブル２４を作成する。
【００５５】
続いて、ステップＳ３で、配置待ちテーブル２４に残っている次順位のエントリ会員のレコードを読み出し、一時記憶領域２６（図２）に一時記憶する。処理の最初では、第１順位の、図３の実施例では「Ａ」氏のエントリレコードが読み出される。
【００５６】
次のステップＳ５では、サーバ１２は、会員データベース１６に登録されている、たとえば図３に示す配置待ちテーブル２４の会員番号欄に記憶しているスポンサ会員番号、例示の「Ａ」氏では「Ｙ」氏を表す「０００１」、を参照して、ステップＳ３で読み出したエントリレコードに係るエントリ会員のスポンサ会員のデータを読み出し、一時記憶領域２６に一時記憶する。
【００５７】
次のステップＳ７で、サーバ１２は、ステップＳ５で読み出したスポンサ会員が活動中かどうか判断する。スポンサ会員が活動中かどうかは、たとえば会員データベース１６に登録している会員データに「活動中フラグ」を設定しておき、無取引状態がたとえば３ヶ月以上継続している場合にその活動中フラグに「０」をセットし、ステップＳ５でその活動中フラグを参照することによって判断することができる。
【００５８】
ステップＳ７で“ＮＯ”を判断したとき、サーバ１２は、ステップＳ９でそのときのエントリ会員の紹介系列の上位の他のスポンサ会員を検索し、ステップＳ５に戻る。そして、ステップＳ５およびＳ７を再び実行する。このようにして、ステップＳ５で配置待ちテーブル２４から抽出した配置待ち会員の紹介系列（図４）を遡った上位に存在する活動中のスポンサ会員を検索する。活動中ではないスポンサ会員は組織維持に何ら貢献しないので、実施例のシステムでは活動中のスポンサ会員だけが特定利益を享受できるようにしているためである。
【００５９】
なお、ステップＳ９およびステップＳ７を実行しても活動中のスポンサ会員が検索できないときでも、究極はトップ会員（実施例の連鎖販売取引システムの運営会社）が活動中のスポンサ会員として検索される。
【００６０】
ステップＳ７を実行して活動中のスポンサ会員が見つかった後、ステップＳ１１において、サーバ１２は、たとえば会員データベース１６に保存されている既配置（配置済）の図５のような組織図（ポジションデータ）（たとえば、図１の会員データベース１６に保存されている）を参照して、当該活動中のスポンサ会員の直下の左、右ポジション（配置ライン）のどちらが「空き」かを判断する。その上で、もし両方とも空いているなら、左優先の原則に従って、左ポジシヨンをステップＳ３で取り出したエントリ会員の配置ポジションとして決定し、一時記憶領域２６に記憶する。もし、右ポジションしか空いていなければ、当然、右ポジションが配置ポジションとして決定される。
【００６１】
次のステップＳ１３で、サーバ１２は、ステップＳ１１で決定した配置ポジシヨンに当該エントリ会員を配置し、会員データベース１６内のポジションデータに書き込む。つまり、会員データベース１６に書き込む。
【００６２】
続くステップＳ１５では、サーバ１２は、ステップＳ１３でエントリ会員を配置した結果、ステップＳ７で検索した活動中のスポンサ会員（第１スポンサ会員）の左、右ポジションがともに埋まったかどうか、つまり、第１スポンサ会員のマトリクスが完成したかどうか判断する。ステップＳ１３でエントリ会員を第１スポンサ会員の左ポジションに配置したのであれば、この段階ではステップＳ１５で“ＮＯ”と判断される。ステップＳ１３でエントリ会員を第１スポンサ会員の右ポジションに配置したのであれば、この段階で、ステップＳ１５で“ＹＥＳ”と判断される。つまり、ステップＳ１１で左右どちらに配置したかを判断することによって、マトリクスが完成したかどうか判断できる。
【００６３】
ステップＳ１５で“ＹＥＳ”を判断したとき、サーバ１２は、続くステップＳ１７で、マトリクスボーナスおよび逆マッチングボーナスを計算して、該当するスポンサ会員や下位会員の特定利益として計上する。ただし、マトリクスボーナスは前述したので、ここでは、逆マッチングボーナスの計算方法について説明する。
【００６４】
逆マッチングボーナスとは、スポンサ会員のマトリクスが完成したとき、そのスポンサ会員の紹介系列の上位会員に分配される通常のマッチングボーナスとは逆に、スポンサ会員のマトリクスが完成したとき、そのスポンサ会員の紹介系列の下位会員に、紹介レベルに応じて分配するボーナスのことである。システムの設計の一例では、マトリクスを完成すると、紹介レベルが１レベルの会員に一定金額、たとえば３，０００円を分配し、紹介レベルが２レベルの会員に一定金額、たとえば２，０００円を分配する。
【００６５】
図１２を参照して、仮に「２」氏に分配する逆マッチングボーナスを、たとえば図４に示すようなスポンサマップ上で計算する。図１２のように、「Ｙ」氏が「Ａ」氏を紹介し、「Ａ」氏が「２」氏を紹介したとすると、「Ａ」氏と「２」氏との間の紹介レベルは１レベルであり、「Ｙ」氏と「２」氏との間の紹介レベルは２レベルということになる。したがって、「Ｙ」氏がマトリクスを完成させたとき分配される２，０００円を、２レベルに属する活動中の全員（ここでは「１」氏、「２」氏、「３」氏、「イ」氏および「ロ」氏が対象となる。）に分配する。つまり、スポンサ会員「Ｙ」氏がマトリクスを完成したとき、「１」氏、「２」氏、「３」氏、「イ」氏および「ロ」氏にはそれぞれ４００円が逆マッチングボーナスとして分配される。また、「Ａ」氏がマトリクスを完成させたとき分配される３，０００円を、１レベルに属する活動中の全員（ここでは「１」氏、「２」氏および「３」氏が対象となる。）に分配する。したがって、スポンサ会員「Ａ」氏がマトリクスを完成したとき、「１」氏、「２」氏および「３」氏にはそれぞれ１，０００円が逆マッチングボーナスとして分配される。
【００６６】
なお、このような逆マッチングボーナスの分配は必須ではなく、また、金額も上記に限らず、任意に設定されればよい。
【００６７】
続くステップＳ１９で、サーバ１２は、先のステップＳ１５でマトリクスを完成されたスポンサ会員がトップ会員（運営会社）かどうか判断する。
【００６８】
ステップＳ１９で“ＮＯ”を判定すると、ステップＳ２１で、ステップＳ１５でマトリクスを完成させたスポンサ会員（第１スポンサ会員）を、配置待ち会員として、ステップＳ５に戻る。つまり、直前にマトリクスを完成したスポンサ会員をエントリ会員として再び組織内に配置（再配置）するのである。
【００６９】
つまり、ステップＳ２１から、ステップＳ５、ステップＳ７、ステップＳ１１、ステップＳ１３を経由することによって、第１スポンサ会員が再配置される。つまり、これらのステップＳ２１およびＳ５‐Ｓ１３が再配置手段を構成する。
【００７０】
再配置の対象となったスポンサ会員（第１スポンサ会員）の再配置先は、ステップＳ５を経由することによって、自分の紹介系列を遡った上位スポンサである活動中の第２スポンサ会員のマトリクスを完成させられるポジションになる。つまり、第１スポンサ会員を再配置することによって、ステップＳ１５でマトリクスの完成があるかもしれず、その意味で、第１スポンサ会員の再配置ポジシヨンは、第１スポンサ会員のスポンサである第２スポンサ会員のマトリクスの完成に寄与するポジションということができる。このように、一旦マトリクスを完成させたスポンサ会員（第１スポンサ会員）を当該スポンサ会員の紹介系列を遡った上位の第２スポンサ会員のマトリクス完成に寄与する配置ポジションに配置することによって、マトリクスボーナスを発生させるとともに、下位への特定利益として逆マッチングボーナスを計上することができる。
【００７１】
ステップＳ１９で“ＹＥＳ”を判断したとき、サーバ１２は、トップ会員を配置する。このときの配置ルールは、組織（自分が紹介した会員たちのグループ）の一番浅い空きポジション（トップに一番近い空きポジション。たとえば、図９の例でいえば、「３」氏の下位ではなく、「Ｃ」氏の下位に相当する。図１０の例でいえば、「Ｄ」氏の左ポジションに相当する。）を、左優先の原則で、配置ポジションとして決定し、その配置ポジションにトップ会員（運営会社）を配置する。「一番浅い空きポジション」に設定したのは、当該ポジションは動きがないポジションのため、そこに動きを与えることによって組織を活性化させるためである。また、トップ会員には紹介者（上述の第２スポンサ会員に相当する）がなく、配置先がないためである。
【００７２】
そして、ステップＳ２３で、未配置の配置待ちデータ（エントリ会員）があるかどうかを、図３の配置待ちテーブル２４を参照して、判断する。未配置のエントリレコードがあれば、つまり、“ＹＥＳ”であれば、ステップＳ３に戻り、次のエントリ順位のエントリ会員を配置する。“ＮＯ”であれば、サーバ１２は、図１１の配置処理を終了する。
【００７３】
なお、一旦エントリしたエントリ会員がクーリングオフすることがあるので、ボーナス計算に際して金額を確定させるためには、クーリングオフしたエントリ会員のエントリレコードを除去して、図１１に従った配置処理をボーナス計算の都度やり直すようにしている。原則として、月１回ボーナス計算するので、最低１回は再配置処理を行う必要がある。
【００７４】
また、２ヶ月目以降は毎月定期購入（オートシップ購入）となり、このオートシップ購入によりバイナリボーナスを計算するのは従来のシステムと変わらない。ちなみに、バイナリボーナスは、当該会員を頂点とするバイナリグループの、左右のオートシップ購入をしているポジション数を比較し、少ない方のグループのポジション数に基づいてボーナスを計算する。
【符号の説明】
【００７５】
１０  …連鎖販売取引システム
１２  …サーバ
１４  …メモリ
１６  …会員データベース
２４  …配置待ちテーブル
【図１】
2014167690.tif 000003
【図２】
2014167690.tif 000004
【図３】
2014167690.tif 000005
【図４】
2014167690.tif 000006
【図５】
2014167690.tif 000007
【図６】
2014167690.tif 000008
【図７】
2014167690.tif 000009
【図８】
2014167690.tif 000010
【図９】
2014167690.tif 000011
【図１０】
2014167690.tif 000012
【図１１】
2014167690.tif 000013
【図１２】
2014167690.tif 000014